(57)【要約】【課題】この発明の実施例は簡単な構成で、表示領域のサイズに対して映像信号の表示サイズが異なる場合に、映像表示位置を調整可能な平面表示装置の駆動装置及び駆動方法を提供することにある。【解決手段】ドライバーと前記ドライバーに対してスタートパルスを与え、ドライバーの複数の出力信号の各出力時点を定める駆動クロックを与える駆動回路を有し、駆動回路１００は、カウンター回路１１２と、スタートパルス発生回路１１３と、駆動クロック出力回路１１６と、駆動クロック出力制御回路１１９を有し、前記駆動クロック出力制御回路１１９は、前記表示領域の走査方向の幅に対応するデータｖと前記映像信号の表示幅に対応するデータｗとの差データ（ｖ−ｗ）を反映させた値に基づいて、前記クロック出力の停止開始時点を決めるための停止位置演算回路と、前記差データ（ｖ−ｗ）を反映させた表示開始検出信号に基づいて、クロック出力の再開時点を決めるための再開位置設定回路を有する。【選択図】      図１２
2011081247.tif 000002
【特許請求の範囲】
【請求項１】
表示領域の複数位置を順次駆動するための複数の出力信号を出力するドライバーと、前記ドライバーに対してスタートパルスを与えるとともに前記複数の出力信号の各出力時点を定めるドライバークロックを与える駆動回路を有し、
前記駆動回路は、
映像信号に同期した信号でリセットされるとともに基本クロックをカウントしたカウンター出力を得るカウンター回路と、
前記カウンター出力の所定値に基づいて前記スタートパルスを出力するスタートパルス発生回路と、
前記ドライバークロックを出力する駆動クロック出力回路と、
前記駆動クロック出力回路を制御し、前記ドライバーのダミー駆動期間内に、前記ドライバークロックの出力を一時停止させる期間を設定する駆動クロック出力制御回路を有し、
前記駆動クロック出力制御回路は、
前記表示領域の走査方向の幅を表すデータをｖとし、前記映像信号の表示幅を表すデータをｗとし、ｖとｗの差データを（ｖ−ｗ）としたとき、（ｖ−ｗ）が正の場合を反映させた第１の値、負の場合を反映させた第２の値に基づいて、前記ドライバークロックの出力の停止開始時点を決めるための停止位置演算回路と、
前記差データ（ｖ−ｗ）が正の場合を反映させた第１の表示開始検出信号、負の場合を反映させた第２の表示開始検出信号の発生時点に基づいて、前記ドライバークロックの出力の再開時点を決めるための再開位置設定回路を有したことを特徴とする平面表示装置の駆動装置。
【請求項２】
前記第１の値は、(d/2)+((v-w)/2)+e、またはn+(d/2)+((v-w)/2)+eであり、
前記第２の値は、(d/2)+e、またはn+(d/2)+eであり、
前記第１の表示開始検出信号は、前記映像信号の表示開始時点に一致する信号であり、
前記第２の表示開始検出信号は、前記映像信号の表示開始時点から((ｗ−ｖ)/2)個の基本クロック数だけ遅延した信号であり、
前記dは、前記ドライバーの複数の出力信号の数と、前記表示領域の前記複数位置の数の差データであり、
前記eは、０を含む補正データであり、
ｎは、同期信号を検出してからスタートパルスが出力されるまでの経過時間を決める値であることを特徴とする請求項１記載の平面表示装置の駆動装置。
【請求項３】
前記ドライバーは、前記表示領域の前記複数位置にデータを供給する水平方向のドライバー若しくは前記表示領域の前記複数位置にライン選択信号を供給する垂直方向のドライバーのいずれかであることを特徴とする請求項２記載の平面表示装置の駆動装置。
【請求項４】
表示領域の複数位置を順次駆動するための複数の出力信号を出力するドライバーと、前記ドライバーに対してスタートパルスを与えるとともに前記複数の出力信号の各出力時点を定めるドライバークロックを与える駆動回路を有し、前記駆動回路（１００）は、映像信号に同期した信号でリセットされるとともに基本クロックをカウントしたカウント出力を得るカウンター回路と、前記カウント出力の所定値に基づいて前記スタートパルスを出力するスタートパルス発生回路と、前記ドライバークロックを出力する駆動クロック出力回路と、前記駆動クロック出力回路を制御し、前記ドライバーのダミー駆動期間内に、前記ドライバークロックの出力を一時停止させる期間を設定する駆動クロック出力制御回路を有し、
前記表示領域の走査方向の幅を表すデータｖと前記映像信号の表示幅を表すデータｗとの差データ（ｖ−ｗ）が正の場合を反映させた第１の値、負の場合を反映させた第２の値に基づいて、前記ドライバークロックの出力の停止開始時点を決め、
前記差データ（ｖ−ｗ）が正の場合を反映させた第１の表示開始検出信号、負の場合を反映させた第２の表示開始検出信号の発生時点に基づいて、前記ドライバークロックの出力の再開時点を決めることを特徴とする平面表示装置の駆動方法。
【請求項５】
前記第１の値は、(d/2)+((v-w)/2)+e、またはn+(d/2)+((v-w)/2)+eであり、
前記第２の値は、(d/2)+e、またはn+(d/2)+eであり、
前記第１の表示開始検出信号は、前記映像信号の表示開始時点に一致する信号であり、
前記第２の表示開始検出信号は、前記映像信号の表示開始時点から((ｗ−ｖ)/2)個の基本クロック数だけ遅延した信号であり、
前記dは、前記ドライバーの複数の出力信号の数と、前記表示領域の前記複数位置の数の差データであり、
前記eは、０を含む補正データであり、
ｎは、同期信号を検出してからスタートパルスが出力されるまでの経過時間を決める値であることを特徴とする請求項４記載の平面表示装置の駆動方法。
【発明の詳細な説明】
【技術分野】
【０００１】
この発明は、平面表示装置の駆動装置に関するもので、液晶表示装置、LED表示装置、有機EL表示装置、SED表示装置などの駆動装置に有効である。
【背景技術】
【０００２】
例えば液晶表示装置は、表示領域に２次元配列された複数の画素を駆動するために、水平ドライバー及び垂直ドライバーを有する。水平ドライバーは、水平レジスターに対して駆動信号（水平方向走査信号）を与えている。水平レジスターは前記水平方向走査信号により駆動され１水平ライン分のデータを取り込むことができる。また垂直ドライバーは、複数の水平走査線を順次駆動するための駆動信号（垂直方向走査信号）を出力する。水平走査線がオンされると、水平レジスターの１水平ライン分のデータが一斉に当該水平走査線の複数の画素に供給される。
【０００３】
ところで、上記の表示領域を構成する基板と、前記ドライバー（水平ドライバー、垂直ドライバー）とは別々に生産されることがある。また、近年の集積化技術の進歩に伴い、ドライバーの走査信号出力部の数は増大している。このために、部品が組み立てられるとき、表示領域の走査に必要な複数の位置の数と上記ドライバーの複数の信号出力部の数とが必ずしも一致しない。通常はドライバーの複数の走査信号出力部の数が表示領域の複数の走査点の数よりも多い。
【０００４】
このような場合上記ドライバーを駆動する駆動回路は、ドライバーの駆動期間の修正が必要であり、複雑な演算回路を装備していた（特許文献１）。
【０００５】
また一方では、映像信号の表示サイズは種々のものが存在する。またアスペクト比も各種の映像信号が存在する。このような映像信号を表示領域に表示する際、単純に、表示開始位置と、表示領域の左上隅を合わせるだけであると、不自然な映像表示状態となる。
【０００６】
即ち、表示領域のサイズに対して映像表示サイズが一致しない場合は、不自然でアンバランスな表示状態となる。
【先行技術文献】
【特許文献】
【０００７】
【特許文献１】特開２００３−９８５０６号公報
【発明の概要】
【発明が解決しようとする課題】
【０００８】
この発明の目的は、簡単な構成により、表示領域のサイズに対して映像信号の表示サイズが異なる場合に、映像表示位置を調整可能な平面表示装置の駆動装置及び駆動方法を提供することにある。さらに、この発明では容易に表示領域に適応した走査信号を得られるようにした平面表示装置の駆動装置及び駆動方法を提供することにある。
【課題を解決するための手段】
【０００９】
上記課題を解決するために基本的には、表示領域の複数位置を順次走査するための複数の出力信号を出力するドライバーと、前記ドライバーに対してスタートパルスを与えるとともに前記複数の出力信号の各出力時点を定めるドライバークロックを与える駆動回路とを有し、前記駆動回路は、映像信号に同期した信号でリセットされるとともに基本クロックをカウントしたカウンター出力を得るカウンター回路と、前記カウント出力の所定値に基づいて前記スタートパルスを出力するスタートパルス発生回路と、前記ドライバークロックを出力する駆動クロック出力回路と、前記駆動クロック出力回路を制御し、前記ドライバーのダミー駆動期間内に、前記駆動クロックの出力を一時停止させる期間を設定する駆動クロック出力制御回路を有し、
前記駆動クロック出力制御回路は、前記表示領域の走査方向の幅を表すデータｖと前記映像信号の表示幅を表すデータｗとの差データ（ｖ−ｗ）が正の場合を反映させた第１の値、負の場合を反映させた第２の値に基づいて、前記クロック出力の停止開始時点を決めるための停止位置演算回路と、前記差データ（ｖ−ｗ）が正の場合を反映させた第１の表示開始検出信号、負の場合を反映させた第２の表示開始検出信号の発生時点に基づいて、前記ドライバークロックの出力の再開時点を決めるための再開位置設定回路を有したことを特徴とする。
【発明の効果】
【００１０】
上記の手段によると、簡単な構成により、映像信号の表示幅と、表示領域の表示幅が不一致の場合、両者の表示幅のセンターを合わせることができる。
【図面の簡単な説明】
【００１１】
【図１】この発明が適用された平面表示装置の概略構成を示す図である。
【図２】この発明の前提となる回路構成例を示す図である。
【図３】図２の回路の動作を説明するために示したタイミングチャートである。
【図４】図２の駆動クロック停止信号発生回路の具体例を示す図である。
【図５】図２の駆動クロック出力回路の具体例を示す図である。
【図６】図２の回路の他の実施の形態の一部を取り出して示す図である。
【図７】図２の回路のさらに他の実施の形態の動作例を説明するために示したタイミングチャートである。
【図８】図２の回路を用いた水平ドライバーに関する動作例を示すタイミングチャートである。
【図９】図２の回路を用いた垂直ドライバーに関する動作例を示すタイミングチャートである。
【図１０】この発明の前提となる装置の動作例であり、水平方向の表示動作例を説明するために示したタイミングチャートである。
【図１１】この発明の前提となる装置の動作例であり、垂直方向の表示動作例を説明するために示したタイミングチャートである。
【図１２】この発明の一実施の形態を示す回路構成図である。
【図１３】図１２の装置の動作例を説明するために示したタイミングチャートである。
【図１４】この発明の他の実施の形態を示す回路構成図である。
【図１５】この発明の装置の動作例を説明するために示したタイミングチャートである。
【図１６】この発明の装置の動作例を具体的数値例を示して説明するために示したタイミングチャートである。
【図１７】この発明の装置の他の動作例を説明するために示したタイミングチャートである。
【図１８】この発明の装置のまた他の動作例を説明するために示したタイミングチャートである。
【図１９】この発明の装置のさらに他の動作例を説明するために示したタイミングチャートである。
【図２０】この発明の装置のさらにまた他の動作例を説明するために示したタイミングチャートである。
【発明を実施するための形態】
【００１２】
以下図面を参照して、この発明の実施の形態を説明する。図１はこの発明が適用された平面表示装置１０を示している。駆動回路１００には映像信号、同期信号、クロック信号が入力されている。駆動回路１００は、Ｘ，Ｙドライバー２００、３００を駆動する。Ｘドライバー２００は、表示領域４００の水平（X)方向に配列された複数のデータ線にデータを供給する。Ｙドライバー３００は、表示領域４００の垂直（Y)方向に配列された水平走査線に対して駆動信号（ライン選択信号と称してもよい）を供給する。表示領域４００には２次元的に複数の画素が配列されている。
【００１３】
Ｘドライバー２００内の水平レジスターは水平方向走査信号（水平駆動クロックと称してもよい）により駆動され、１水平ライン分のデータを取り込むことができる。またＹドライバー３００は、垂直駆動クロックにより駆動され、複数の水平走査線を順次駆動するための垂直方向走査信号（ライン選択信号と称してもよい）を出力する。水平走査線がオンされると、水平レジスターの１水平ライン分のデータが一斉に当該水平走査線に接続されている複数の画素に供給される。
【００１４】
図２はこの発明の前提となる説明図である。理解及び説明を容易にするためにＸドライバー２００と、このＸドライバー２００に関連する部分を取り出した駆動回路１００の内部を示している。
【００１５】
入力部１０１に同期信号が供給される。同期信号検出回路１１１が同期信号を検出し、同期検出信号を出力する。同期検出信号は、カウンター回路１１２のリセット端子に供給される。カウンター回路１１２のカウント出力は、スタートパルス発生回路１１３、駆動停止位置検出回路１１４に入力される。スタートパルス発生回路１１３は、カウンター回路１１２のカウント値がｎのとき、スタートパルスを出力する。スタートパルスはＸドライバー２００に供給される。Ｘドライバー２００はスタートパルスが供給されると、水平方向ドライバークロックに応答してデータ取り込みを行う。
【００１６】
前記カウンター回路１１２のカウント出力は、駆動停止位置検出回路１１４に入力されている。駆動停止位置検出回路１１４は、カウンター値が予め定めた値｛n＋(d/2)+e｝になったときセットパルスを出力する。
【００１７】
なお、ｎは、同期信号を検出してからスタートパルスが出力されるまでの経過時間を決める値であり、eは微調整のための値（駆動停止位置補正信号）であり、ｄは後述するＸドライバー２００の複数の出力信号数をＴ１、表示領域を駆動する水平方向の駆動端子数をＴ２としたときの差を表わしている。ｎ及びｄは固定値であり、この値を得るための特別な演算回路は不要である。
【００１８】
このセットパルスにより駆動クロック停止信号発生回路１１５がセットされる。ここで、駆動停止位置検出回路１１４と駆動クロック停止信号発生回路１１５は、駆動クロック出力制御回路１１９を構成している。
【００１９】
駆動クロック停止信号発生回路１１５は、セットされたときに駆動クロック停止信号をオンするもので、この停止信号に応答して駆動クロック出力回路１１７は、Ｘドライバー２００に与えているドライバークロックを停止する。
【００２０】
駆動クロック停止信号発生回路１１５は、表示開始位置検出回路１１６からの表示開始検出信号によりリセットされる。駆動クロック停止信号発生回路１１５は、リセットされたときに駆動クロック停止信号をオフするもので、このとき駆動クロック出力回路１１７は、Ｘドライバー２００に与えるドライバークロックを再開する。
【００２１】
表示開始位置検出回路１１６は入力部１０２に与えられている表示開始信号を検出して、前記表示開始検出信号を出力する。
【００２２】
駆動クロック出力回路１１７は、外部から入力されるクロック信号に同期した駆動クロック発生回路１１８からの駆動クロックを用いて、Ｘドライバー２００に供給する適切な周波数のドライバークロックを生成している。
【００２３】
上記のＸドライバー２００は、ダミー駆動期間、駆動停止期間、表示領域駆動期間を持つ。駆動停止期間は、駆動停止位置検出回路１１４がセット信号を出力した時点から開始される。このセット信号出力時間は、Ｘドライバー２００の使用しないドライバー出力信号数に応じて調整される。即ち、Ｘドライバー２００の複数の出力信号数（また複数の出力信号期間）をT1とし、前記表示領域を駆動する水平方向の駆動端子数（駆動回数又は駆動期間）をT2とし、その差をｄ＝（T1-T2）とし、前記スタートパルスから前記駆動クロックが停止するまでの前記Ｘドライバー２００のダミー駆動回数（またはダミー駆動期間）をDとすると、例えばD=(d/2)に選定される。
【００２４】
この値を設定する回路が、スタートパルス位置設定回路１２１、ダミー駆動幅調整回路１２２である。ダミー駆動幅調整回路１２２は、前ダミー駆動幅設定回路１２３と演算回路１２４を含む。前ダミー駆動幅設定回路１２３は、値(d/2）を出力し、演算回路１２４は、この値(d/2）とスタートパルス位置設定回路１２１から供給される出力信号の値n+eを加算する。加算出力は、n+(d/2)+eとして出力され駆動停止位置検出回路１１４の比較データとして用いられる。つまり、カウンター回路１１２のカウント値が、n+(d/2)+eとなったときにドライバークロックを停止するセット信号が出力される。
【００２５】
データ出力回路１３０は入力端子１０３に供給される映像信号をＸドライバー２００にデータとして与える回路であり、映像データは、駆動クロックに同期してＸドライバー２００内のレジスタ（図示せず）に取り込まれる。
【００２６】
図３には上記の回路の動作を説明するためにタイミングチャートを示している。３aはクロック信号であり、３ｂは同期信号であり、３ｃは映像表示期間を示す表示開始信号である。３ｄは映像信号、３eは同期検出信号、３ｆは表示開始検出信号である。また３ｇはカウンター回路１１２のカウンター出力を示し、３ｈは先のスタートパルス位置設定回路１２１の出力となる固定値ｎ、３iは演算回路１２４の演算出力であるn+(d/2)+e（ここではe=0としている）を示している。さらに３ｊは駆動クロック停止信号発生回路１１５から出力される駆動クロック停止信号を示し、３ｋはデータ出力回路１３０の出力データ信号、３ｌはスタートパルス発生回路１１３の出力であるスタートパルス、３ｍは駆動クロック出力回路１１７からＸドライバー２００に供給されるドライバークロック、３ｎはＸドライバー２００の状態を示している。
【００２７】
同期信号の前縁で同期検出信号３eが得られ、これによりカウンター回路１１２がリセットされ、クロック信号のカウントを０から開始する。スタートパルス位置設定回路１２１により設定されているｎの値から、このカウンター回路１１２のカウンター値がｎ進んだところで、スタートパルス発生回路１１３がスタートパルス３ｌを出力する。そしてこのスタートパルス３ｌからカウント値が(d/2)進んだときに、駆動クロック停止信号３ｊが得られる。この停止状態は、映像信号の表示タイミングに同期した表示開始検出信号３ｆが来るまで続く。表示開始検出信号３ｆが得られると、Ｘドライバー２００に対するドライバークロック３ｍの供給が再開される。
【００２８】
上記の動作の結果、Ｘドライバー２００には、３ｎに示すように、前ダミー駆動期間、表示期間の駆動期間、残余の(d/2)に相当する期間の後ダミー駆動期間が存在する。前ダミー駆動期間内は、ドライバークロック入力期間(d/2)と、停止期間が存在する。
【００２９】
上記した回路によると、同期信号検出時点ｔ１から映像信号（表示）開始時点ｔ２までの間に、Ｘドライバー２００を前ダミー駆動し、走査位置を表示領域駆動開始位置まで進め、待機状態ドライバークロック停止状態）とする。画像表示期間が終了した後、(d/2)の相当期間だけ後ダミー駆動が実行される。このような駆動を行う理由は、表示領域の被駆動ライン数よりもＸドライバー２００の駆動出力端子数の方が多いからである。
【００３０】
上記した回路によると、ドライバークロックによりＸドライバー２００の駆動を再開する時点は、表示開始検出信号３ｆを検出した時点である。このために表示開始が位相変動、周期変動によりずれても正確に表示開始に同期してＸドライバー２００が駆動される。
【００３１】
図４には先の駆動クロック停止信号発生回路１１５の具体的回路例を示している。駆動停止位置検出回路１１４からのセット信号がＳ遅延調整回路４aに供給され、ここで調整されたセット信号がRSフリップフロップ回路４ｂのセット端子Sに入力される。また表示開始位置検出回路１１６からの表示開始検出信号（リセット信号）がＲ遅延調整回路４ｃを介してRSフリップフロップ回路４ｂのリセット端子Ｒに供給され、RSフリップフロップ回路４ｂから駆動クロック停止信号が出力される。なお、遅延調整回路４a,4cは無くてもよい。
【００３２】
図５には、先の駆動クロック出力回路１１７の具体例を示している。アンド回路５aの負入力端子には先の駆動クロック停止信号が入力され、正入力端子には駆動クロック発生回路１１８からの駆動クロックが入力されている。駆動クロック停止信号が正極性になると、出力であるドライバークロックの出力が停止され、駆動クロック停止信号が負極性になると、ドライバークロックが出力される。
【００３３】
図６にはこの発明の他の実施の形態の要部を示している。先の実施の形態では駆動停止位置検出回路１１４は、同期検出信号によりリセットされるカウンター回路１１２のカウント値を参照した。しかし図６の実施の形態では、Ｘドライバー２００に供給されるスタートパルスによりリセットされるカウンター回路１４１の出力を、駆動停止位置検出回路１１４が参照する。この構成であると、図２の回路に比べて、駆動停止位置検出回路１１４にセットする値に対して、ｎを考慮する必要が無い。つまり、演算回路１２４に入力する要素としては、(d/2)とeのみでよい。駆動停止位置補正信号ｅの値は製品組み立て後、調整者により調整することができる。
【００３４】
図７は上記した図６の回路を用いた実施の形態の動作を示すタイミングチャートである。７aはクロック信号であり、７ｂは同期信号であり、７ｃは映像表示期間を示す表示開始信号である。７ｄは映像信号、７eは同期検出信号、７ｆは表示開始検出信号である。また７ｇはスタートパルス、７ｈはカウンター回路１４１のカウンター出力を示し、７iは駆動クロック停止信号発生回路１１５から出力される駆動クロック停止信号を示し、7jはデータ信号、7kはＸドライバー２００に供給されるドライバークロック、7lはＸドライバー２００の状態を示している。
【００３５】
図８は、水平方向のＸドライバー２００が駆動可能な総画素数が３６０であり、表示領域４００の水平方向に配列された画素数が３２０の場合の駆動タイミングチャートの例を示している。８aはクロック信号、８ｂは駆動クロック停止信号、８ｃはデータ信号、８ｄはスタートパルス、８eはＸドライバー２００へのドライバークロック、８ｆはＸドライバー２００の出力の様子を示している。
【００３６】
Ｘドライバー２００からの複数の出力信号の数３６０は、画素数３２０に対してｄ（＝４０）多い。このために、Ｘドライバー２００はダミー駆動される必要がある。前述したように本発明の回路は、前ダミー駆動期間と後ダミー駆動期間を有する。前ダミー駆動期間では、Ｘドライバー２００から２０の出力信号がダミーとして出力される。次にドライバークロック停止期間となり、表示開始検出信号に同期して、ドライバークロックの供給が再開される。ドライバークロックの供給が再開された後、Ｘドライバー２００から水平表示画素数（３２０）の出力信号が得られる。その後は後ダミー駆動期間に移行する。この期間は、Ｘドライバー２００は２０の出力信号を出力する。
【００３７】
なお上記の説明は、色データR,G,Bのうち１つの系統の総画素数３６０について説明したが、実際の装置では、さらに２つの系統（それぞれ総画素数３６０）が存在する。
【００３８】
図９は、垂直方向のＹドライバー３００が駆動可能な総走査線数が８００であり、表示領域４００の垂直方向に配列された走査線数が７６８の場合の駆動タイミングチャートの例を示している。９aはクロック信号、９ｂは表示開始検出信号、９ｃは駆動クロック停止信号、９ｄはデータ信号（ライン選択信号又は走査信号）、９eはスタートパルス、９ｆはＹドライバー３００へのドライバークロック（水平走査周波数信号）、９ｇはＹドライバー３００の出力の様子を示している。前述したように本発明の回路は、前ダミー駆動期間と後ダミー駆動期間を有する。前ダミー駆動期間では、Ｙドライバー３００から１６の出力信号（ライン選択信号）がダミーとして出力される。次にドライバークロック停止期間となり、表示開始検出信号に同期して、ドライバークロックの供給が再開される。ドライバークロックの供給が再開された後、Ｙドライバー３００から走査線数（７６８）の出力信号が得られる。その後は後ダミー駆動期間に移行する。この期間は、Ｙドライバー３００は１６の出力信号（ライン選択信号）を出力する。なお図９には併せて水平走査系統のクロック信号などを示しているが、図８の説明と同じであるからここでは省略する。
【００３９】
上記した図８、図９の説明は、表示領域のサイズに対して映像表示サイズがほぼ一致する場合を説明した。しかし映像表示サイズのタイプとしては種々のものがあり、必ずしも表示領域のサイズに対して映像表示サイズが一致するとは限らない。
【００４０】
図１０には、水平方向の表示領域のサイズに対して水平方向の映像表示サイズが一致しない場合の問題点を示している。
【００４１】
１０aはクロック信号、１０ｂは駆動クロック停止信号、１０ｃはスタートパルス、１０ｄはＸドライバー２００へのドライバークロックである。１０e-1はデータ信号であり、表示領域４００の水平表示画素数３２０に対して、データ信号の画素数が少ない場合を示している。このような場合は、１０ｆ−１に示すようにＸドライバー出力は、表示領域の右側で黒表示あるいは、左側の画像の一部が繰り返し表示されることになる。
【００４２】
逆にデータ信号１０e-2に示すように、表示領域４００の水平表示画素数３２０に対して、データ信号の画素数が多い場合は、画像の一部が表示されなくなる。
【００４３】
図１１には、垂直方向の表示領域４００のサイズに対して垂直方向の映像表示サイズが一致しない場合の問題点を示している。１１aはクロック信号、１１ｂは表示開始検出信号、１１ｃは駆動クロック停止信号、１１ｄはスタートパルス、１１eはＹドライバー３００へのドライバークロック（水平走査周波数信号）である。
【００４４】
そして１１ｆ−１は、垂直方向のデータ信号の垂直方向の画素数が、表示領域４００の垂直方向の画素数よりも小さい場合である。このときは、Ｙドライバー出力１１ｇ−１は、表示領域４００の下側で黒表示あるいは、上側の画像の一部が繰り返し表示されることになる。
【００４５】
逆にデータ信号１１ｆ-2に示すように、表示領域４００の垂直表示ライン数７６８に対して、データ信号の画素数が多い場合は、下側の画像の一部が表示されなくなる。なお図９には併せて水平走査系統のクロック信号などを示しているが、図１０の説明と同じであるからここでは省略する。
【００４６】
上記したように、表示領域４００のサイズに対して映像表示サイズが一致しない場合は、不自然でアンバランスな表示状態となる。そこで、本発明はさらにこのような不自然でアンバランスな表示状態を改善する装置を提供するものである。即ち、表示領域４００のサイズに対して映像表示サイズが一致しない場合は、表示位置のセンタリングを行うようにしている。
【００４７】
図１２は、この発明の基本的な構成例を示している。図２に示した構成と同一部分には同一符号を付している。図２の回路では同期検出信号をカウンター回路１１２のリセット信号として用いたが、図１２の回路では、表示終了位置検出回路１４１を設け、この回路から得られる表示終了検出信号をカウンター回路１１２のリセット信号として用いている。
【００４８】
映像信号の表示終了位置の検出方法は各種可能である。例えば、デジタル情報の場合、属性情報を持つ。したがって表示開始位置検出時点から特定されている水平画素数分に相当する時間、垂直ライン数分に相当する時間が経過したときに、表示終了検出信号を出力すればよい。あるいは単純に映像信号が存在するか否かを検出した信号を表示開始、表示終了として利用してもよい。
【００４９】
カウンター回路１１２の出力は、スタートパルス発生回路１１３に入力される。スタートパルス発生回路１１３には、スタートパルス位置設定回路１２１から、スタートパルスの出力時点を決定する値ｎが与えられている。
【００５０】
先の表示終了検出信号は、表示期間幅検出回路１４３に入力される。また先のカウンター回路１１２の出力は、表示位置記憶レジスター１４４に入力されている。この表示位置記憶レジスター１４４のセット端子には、表示開始検出信号が入力されている。したがって、表示位置記憶レジスター１４４には、表示開始位置のカウンター値ｍが保持される。またこの表示期間幅検出回路１４３には表示位置記憶レジスター１４４からカウンター値ｍが供給されるとともにカウンター回路１１２の出力も入力されている。このカウンター値は、表示終了検出信号により、ラッチされる。いま表示期間幅検出回路１４３において、ラッチされたカウンター値がｍ１であるとすると、（ｍ１−ｍ）＝ｗが表示期間幅となる。
【００５１】
表示期間幅ｗは、減算回路１４５に入力される。減算回路１４５はスタートパルス位置設定回路１２１に設定されている値ｖと、ｗとの差ｚ＝（ｖ−ｗ）を求めている。ｖは表示領域４００の幅の値である。つまり、ここでは表示領域４００の幅ｖ（サイズ）と映像信号の表示幅ｗ（サイズ）との差データ（差信号）ｚを求めている。
【００５２】
上記の差データｚは、停止位置演算回路１４６と、リセット信号発生回路１４７に入力される。停止位置演算回路１４６と、リセット信号発生回路１４７は、駆動クロック停止信号発生回路１１５をセット、リセットし、前ダミー駆動期間における駆動クロック停止信号の幅を設定することになる。
【００５３】
停止位置演算回路１４６は、差データｚにより、ｖ＞ｗと判断（表示領域のサイズより画像表示サイズが小さい）したときは
Stop=n+(d/2)+((v-w)/2)+e
を駆動クロック停止信号の出力タイミングを決める値として出力する。ｄは、表示領域４００のサイズ（画素数若しくは走査線数）とＸドライバー２００のサイズ（全出力信号数）の差である。（ｖ−ｗ）は、表示領域４００の幅（サイズ）と表示画像の幅（サイズ）の差である。またeは、クロック駆動停止位置の補正値である。(d/2)としているのは、差ｄを画面の左右若しくは上下に分割するためである。また((v-w)/2)としているのは、差データ（ｖ−ｗ）を画面の左右、若しくは上下に分割するためである。
【００５４】
駆動停止位置検出回路１１４は、カウンター回路１１２の出力値が、n+(d/2)+((v-w)/2)+eとなったときに、セット信号を出力し、駆動クロック停止信号発生回路１１５にて駆動クロック停止信号が発生する。
【００５５】
また停止位置演算回路１４６は、差データｚにより、ｖ＝ｗ、又はｖ＜ｗ（表示領域のサイズより画像表示サイズが等しいか大きい）と判断したときは、
stop=n+(d/2)+e
を駆動クロック停止信号の出力タイミング決める値とする。駆動クロック停止信号の終端は表示開始信号により位置決めされるので、stop=n+(d/2)+e のときは、駆動クロック停止期間が拡大されることになる。
【００５６】
つまり、停止位置演算回路１４６は、差データ（ｖ−ｗ）が正の場合を反映させた第１の値、負の場合を反映させた第２の値に基づいて、前記駆動クロック出力の停止開始時点を決める。
【００５７】
一方、リセット信号発生回路１４７は、差データｚにより、ｖ＞ｗと判断（表示領域のサイズより画像表示サイズが小さい）したときは表示開始検出信号が入力したときに駆動クロック停止信号発生回路１１５のリセット信号を出力する。
【００５８】
またリセット信号発生回路１４７は、差データｚにより、ｖ＝ｗ、又はｖ＜ｗ（表示領域のサイズより画像表示サイズが等しいか大きい）と判断したときは、表示開始検出信号から((ｗ−ｖ)/2)個のクロック信号数だけ遅延した信号を出力する。
【００５９】
つまり、リセット信号発生回路１４７は、駆動クロック供給のための再開位置設定回路として機能する。そして差データ（ｖ−ｗ）が正の場合を反映させた第１の表示開始検出信号、負の場合を反映させた第２の表示開始検出信号の発生時点に基づいて、前記駆動クロック出力の再開時点を決める。
【００６０】
上記したように前ダミー駆動期間と後ダミー駆動期間は、演算回路１２４の出力であるｎ＋（ｄ／２）＋ｅを比較データとして利用して設定されているが、この設定の段階でそれぞれの期間に表示領域の幅ｖと映像信号の表示幅ｗとの差のデータである(（ｖ−ｗ）/２)という要素を加味している。これにより、（ｖ−ｗ）が正の場合は停止位置演算回路１４６の出力Ｓｔｏｐ＝ｎ＋（ｄ／２）＋（（ｖ−ｗ）／２）＋ｅとなるように設定し駆動クロック停止信号の出力タイミングを決める値として出力し、負の場合にはＳｔｏｐ＝ｎ＋（ｄ／２）＋ｅで駆動クロック停止信号の出力タイミングを決定するようにしている。そして、（ｖ−ｗ）が正の場合には、表示開始検出信号が入力したときにクロック停止信号発生回路１１５のリセット動作を行い、（ｖ−ｗ）が負の場合には表示開始検出信号から（（ｗ−ｖ／２）個のクロック信号数だけ遅延した信号を出力してリセット動作を行うことになり、いずれにおいても画像表示範囲のセンターを表示部の表示領域４００のセンターにほぼ合わせることができる。
【００６１】
図１３は、上記の実施の形態の回路の動作の一例を説明するために示したタイミングチャートである。１３aはクロック信号、１３ｂは表示開始信号、１３ｃは映像信号、１３ｄは表示終了検出信号、１３eは表示開始検出信号である。１３ｆはカウンター回路１１２のカウンター出力であり、１３ｇはスタートパルス位置を決めるスタートパルス位置回路１２１の出力値ｎ、１３ｈは駆動停止位置を決める停止位置演算回路１４６出力となる計算結果の値Stop=ｎ+((ｄ＋ｖ−ｗ)/2)である。なおここではe＝０としている。
【００６２】
１３iは駆動クロック停止信号発生回路１１５から出力される駆動クロック停止信号である。駆動クロック停止信号１３iは、カウンター出力がStop=ｎ+((ｄ＋ｖ−ｗ)/2)になったときに立ち上がり、表示開始検出信号で立ち下がっている。１３ｊはデータ信号であり、１３ｋはスタートパルス、１３ｌはＸドライバー２００に供給されるドライバークロック、１３ｍはＸドライバー２００の出力の様子を示している。タイムチャートは、ｖ＝ｗの場合の例を示している。
【００６３】
図１４はこの発明の他の実施の形態の要部を示している。先の実施の形態では駆動停止位置検出回路１１４は、同期検出信号によりリセットされるカウンター回路１１２のカウント値を参照した。しかし図１４の実施の形態では、Ｘドライバー２００に供給されるスタートパルスによりリセットされるカウンター回路１４０の出力を、駆動停止位置検出回路１１４が参照する。この構成であると、図１２の回路に比べて、駆動停止位置検出回路１１４にセットする値に対して、ｎを考慮する必要が無い。つまり、先の実施の形態ではｖ＞ｗと判断した場合には、ｎを考慮する必要から、クロック停止信号の出力タイミングを決める値としてStop=n+(d/2)+((v-w)/2)+eを用いているが、本実施の形態の場合には、ｖ＞ｗのとき、
Stop=(d/2)+((v-w)/2)+e
とすることが可能となるので、演算回路１２４に入力する要素としては、(d/2)とeのみでよい。因みに、ｖ＝ｗ、もしくはｖ＜ｗと判断した場合には、
Stop=(d/2)+e
となる。なお、駆動停止位置補正信号ｅの値は製品組み立て後、調整者により調整することができる。
【００６４】
図１５には、本発明の回路の動作例を説明するための更なるタイミングチャートを示している。
【００６５】
１５aはクロック信号、１５ｂ-１, １５ｂ-２は表示位置信号である。表示位置信号は、例えばフリップフロップ回路（図示せず）により、表示開始検出信号１５ｄ−１，１５ｄ−２と表示終了検出信号１３ｄから作成される信号である。１５ｃ−１、１５ｃ−２は、映像信号である。１５ｄ−１、１５ｄ−２は表示開始検出信号、１５e−１、１５e−２はリセット信号であり、１５ｇ−１、１５ｇ−２はカウンター回路１１２の出力である。１５ｈ−１、１５ｈ−２は駆動クロック停止信号、１５i−１、１５i−２はデータ信号、１５ｊ−１、１５ｊ−２はＸドライバー２００に供給されるドライバークロック、１５ｋ−１、１５ｋ−２はＸドライバー２００の出力の様子を示している。なお１５ｆ−１は、スタートパルスである。
【００６６】
上記した図１５において、１５ｂ−１、１５ｃ−１、・・・・１５ｋ−１で示す信号のタイミングチャートは、表示領域４００のサイズが、映像表示サイズよりも大きい場合であり、１５ｂ−２、１５ｃ−２、・・・・１５ｋ−２で示す信号のタイミングチャートは、表示領域４００のサイズが、映像表示サイズよりも小さい場合である。
【００６７】
図１６（A)-図１６（C)ではさらに説明をわかりやすくするために参考数値例を示して本発明の装置の動作を説明する。パネル表示領域４００のサイズｖ＝３２０画素とする。またＸドライバー２００のサイズ、つまりＸドライバー２００の出力信号数（画素対応端子数）を３６０とする。
【００６８】
図１６（A)は画像表示サイズｗが３００である場合を示している。このときは、ｖ＞ｗの条件である。Stop=ｎ+((ｄ＋ｖ−ｗ)/2)に基づいてクロック停止位置を計算する。今ｎ＝０、e＝０として計算する。ｄ＝４０である。するとStop=(４０＋３２０−３００)/2)＝３０である。したがって、Ｘドライバー２００はスタートパルスから３０個（３０画素分）ダミー駆動されて、一旦、ドライバークロックが停止される。ドライバークロックが再開する時点は、表示開始検出信号が得られた時点である。これにより、表示領域４００に対して映像表示範囲がセンターに合わされる。
【００６９】
図１６（B)は画像表示サイズｗが３４０である場合を示している。このときは、ｖ＜ｗの条件である。但し、ｖはＸドライバー２００のサイズよりは小さい。このときは、まずドライバーに関してはダミー駆動を行い、表示領域４００のサイズに対してドライバー出力を整合させる必要がある。このため前ダミー駆動によりＸドライバー２００の出力信号数は、２０画素分進められ、その後ドライバークロック停止状態となる。次にドライバークロックの再開タイミングは、先の図１５の駆動クロック停止信号１５ｈ−２とデータ信号１５i-2の関係のようになる。つまり駆動クロック停止信号の後縁でドライバークロックが再開される。このときは、リセット信号発生回路１４７により、表示開始検出信号から(（ｗ−ｖ）/2)個のクロック数だけ遅延して、駆動クロック停止信号がリセットされる。これにより映像信号は水平方向の左右がカットされた表示となる。
【００７０】
図１６（C)は画像表示サイズｗが３８０である場合を示している。このときは、ｖ＜ｗの条件である。またｖはＸドライバー２００のサイズよりも大きいことになる。
【００７１】
このときも、まずドライバーに関してはダミー駆動を行い、表示領域４００のサイズに対してドライバー出力を整合させる必要がある。このため前ダミー駆動によりＸドライバー２００の出力信号数は、２０画素分進められ、その後ドライバークロック停止状態となる。次にドライバークロックの再開タイミングは、駆動クロック停止信号の後縁となる。このときは、リセット信号発生回路１４７により、表示開始検出信号から(（ｗ−ｖ）/2)個のクロック数だけ遅延して、駆動クロック停止信号がリセットされる。この場合も図１６（B)と同様に映像信号は水平方向の左右がカットされた表示となる。
【００７２】
図１７-図２０も参考数値例を示して本発明の装置の動作例を説明する図である。図１７-図２０において、パネル表示領域４００のサイズｖ＝３２０画素とする。またＸドライバー２００のサイズ、つまりＸドライバー２００の出力信号数（画素対応端子数）を３６０とする。
【００７３】
図１７は、画像表示サイズｗがパネル表示領域４００のサイズｖよりも小さい図１６（Ａ）の例である。１７aはクロック信号、１７ｂは駆動クロック停止信号、１７ｃはスタートパルス、１７ｄはＸドライバー２００に入力されるドライバークロック、１７eはデータ信号、１７ｆはドライバー出力の状態を示す図である。この例では、表示領域４００のサイズｖの左右にそれぞれ２０個分の画素に対して画像なしの状態とダミー駆動と１０個分の残領域の画像が形成されている。
【００７４】
図１８も画像表示サイズｗがパネル表示領域４００のサイズｖよりも小さい場合の図１７の別の配置例である。１８aはクロック信号、１８ｂは映像信号、１８ｃは表示開始検出信号、１８ｄは駆動クロック停止信号、１８eはスタートパルス、１８ｆはＸドライバー２００に入力されるドライバークロック、１８ｇはデータ信号、１８ｈはドライバー出力の状態を示す図である。
【００７５】
この例は、駆動クロック停止信号の後縁位置を調整し、画像の表示位置を数画素（この例では２画素）分右側にずらした例を示している。このように本発明の回路では映像表示位置の微調整も可能である。
【００７６】
図１９は、画像表示サイズｗがパネル表示領域４００のサイズｖよりも大きい図１６（Ｂ）の例である。但し、画像表示サイズｗはＸドライバー２００の出力のサイズよりは小さい。図１９において、１９aはクロック信号、１９ｂは駆動クロック停止信号、１９ｃはスタートパルス、１９ｄはＸドライバー２００に入力されるドライバークロック、１９eはデータ信号、１９ｆはドライバー出力の状態を示す図である。この例は、図１６（B)で説明した例と同様に、画像の左右の一部が表示されない。
【００７７】
図２０は、画像表示サイズｗがパネル表示領域４００のサイズｖよりも大きい場合で、さらに画像表示サイズｗはＸドライバー２００の出力のサイズよりも大きい例である。図２０において、２０aはクロック信号、２０ｂは駆動クロック停止信号、２０ｃはスタートパルス、２０ｄはＸドライバー２００に入力されるドライバークロック、２０eはデータ信号、２０ｆはドライバー出力の状態を示す図である。この例でも図１６（C)で説明した例と同様に、画像の左右の一部が表示されない。
【００７８】
上記したようにこの発明は、簡単な構成により、容易に表示領域に適応した走査信号を得られる。また表示領域のサイズに対して映像信号の表示サイズが異なる場合に、映像表示位置を調整可能である。
【００７９】
なお、この発明は、上記実施の形態そのままに限定されるものではなく、実施段階ではその要旨を逸脱しない範囲で構成要素を変形して具体化できる。また、上記実施の形態に開示されている複数の構成要素の適宜な組み合せにより種々の発明を形成できる。例えば、実施の形態に示される全構成要素から幾つかの構成要素を削除してもよい。更に、異なる実施の形態に亘る構成要素を適宜組み合せてもよい。
【符号の説明】
【００８０】
１０・・・・平面表示装置、１００・・・駆動回路、２００、３００・・・ドライバー、４００・・・表示領域、１１１・・・同期信号検出回路、１１２・・・カウンター回路、１１３・・・スタートパルス発生回路、１１４・・・駆動停止位置検出回路、１１５・・・駆動クロック停止信号発生回路、１１６・・・表示開始位置検出回路、１１７・・・駆動クロック出力回路、１１８・・・駆動クロック発生回路、１１９・・・駆動クロック出力制御回路、１２１・・・スタートパルス位置設定回路、１２３・・・前ダミー駆動幅調整回路、１２４・・・演算回路、１３０・・・データ出力回路、１４６・・・停止位置演算回路、１４７・・・リセット信号発生回路。
【図１】
2011081247.tif 000003
【図２】
2011081247.tif 000004
【図３】
2011081247.tif 000005
【図４】
2011081247.tif 000006
【図５】
2011081247.tif 000007
【図６】
2011081247.tif 000008
【図７】
2011081247.tif 000009
【図８】
2011081247.tif 000010
【図９】
2011081247.tif 000011
【図１０】
2011081247.tif 000012
【図１１】
2011081247.tif 000013
【図１２】
2011081247.tif 000014
【図１３】
2011081247.tif 000015
【図１４】
2011081247.tif 000016
【図１５】
2011081247.tif 000017
【図１６】
2011081247.tif 000018
【図１７】
2011081247.tif 000019
【図１８】
2011081247.tif 000020
【図１９】
2011081247.tif 000021
【図２０】
2011081247.tif 000022